【手続補正書】
【提出日】平成29年8月16日(2017.8.16)
【手続補正１】
【補正対象書類名】特許請求の範囲
【補正対象項目名】全文
【補正方法】変更
【補正の内容】
【特許請求の範囲】
【請求項１】
コンピューティングデバイスに関連付けられるメモリエリアであって、該メモリエリアは、ユーザに関連付けられる１つ以上のデバイスを、該ユーザとインターネットサービスプロバイダとの間の加入契約に関連付けるための１つ以上の基準を格納し、前記加入契約は、前記インターネットサービスプロバイダによって提供される１つ以上のサービスに関連する、メモリエリアと；
前記デバイスのうちの１つ以上のデバイスとネットワークとの間の接続を経時的にモニタして、前記インターネットサービスプロバイダを通した前記ネットワークへの接続の頻度と継続期間である接続統計値を生成することであって、前記ネットワークは、前記インターネットサービスプロバイダによって提供される前記１つ以上のサービスのうちの少なくとも１つを供給することと、
前記生成された接続統計値を、前記メモリエリア内に格納された前記基準と比較することと、
前記比較に基づいて、前記１つ以上のデバイスのうちの少なくとも１つのデバイスを前記加入契約に自動的に関連付けることと、
を行うようにプログラムされるプロセッサと；
を備える、システム。
【請求項２】
前記１つ以上のサービスは、前記インターネットサービスプロバイダに関連付けられるホットスポットを含み、前記少なくとも１つのデバイスを前記加入契約に自動的に関連付けることは、前記ユーザが前記少なくとも１つのデバイスを前記インターネットサービスプロバイダに手動で関連付けることを必要とせずに、前記少なくとも１つのデバイスが前記ホットスポットにアクセスすることを可能にすることを備える、
請求項１に記載のシステム。
【請求項３】
前記プロセッサは、対象のコンテンツアイテムをダウンロードするよう前記ユーザを促すように更にプログラムされ、前記対象のコンテンツアイテムは、アプリケーション、プッシュ広告又はプッシュ証明書のうちの少なくとも１つを含む、
請求項１又は２に記載のシステム。
【請求項４】
前記生成される接続統計値は、平均接続継続期間と最後に成功した接続からの時間との組合せを使用して計算されるドウェルスコアを含み、前記１つ以上のデバイスは、前記計算したドウェルスコアが所定の閾値を超えるときに、前記ネットワークとの長期ドウェルを有するものとしてタグ付けされる、
請求項１乃至３のいずれか一項に記載のシステム。
【請求項５】
前記の関連付けに応答して、前記プロセッサは、前記１つ以上のデバイスのうちの関連付けられた前記少なくとも１つのデバイス上で、予めロードされたアプリケーションをアクティブにするか、前記インターネットサービスプロバイダからアプリケーションをダウンロードするか、異なるインターネットサービスプロバイダに関連付けられるインストール済みのアプリケーションを除外するように更にプログラムされる、
請求項１乃至４のいずれか一項に記載のシステム。
【請求項６】
前記自動的に関連付けられるデバイスのうちの少なくとも１つが、前記ネットワークに初めて接続する、
請求項１乃至５のいずれか一項に記載のシステム。
【請求項７】
前記比較は、前記１つ以上のデバイスのうちの前記少なくとも１つのデバイスが前記ユーザに関連付けられることを特定する信頼因子を決定し、前記プロセッサは、前記信頼因子が所定の閾値を超えるときに前記１つ以上のデバイスのうちの前記少なくとも１つのデバイスを前記加入契約に自動的に関連付けるようにプログラムされる、
請求項１乃至６のいずれか一項に記載のシステム。
【請求項８】
プロセッサによって、ユーザに関連付けられる第１のコンピューティングデバイスについての、インターネットサービスプロバイダを通したネットワークへの接続の頻度と継続期間である接続統計値にアクセスするステップであって、前記接続統計値は、前記インターネットサービスプロバイダによって提供される１つ以上のサービスを供給するネットワークとの前記第１のコンピューティングデバイスの接続を表し、前記ユーザは、前記インターネットサービスプロバイダによって提供される前記１つ以上のサービスへの加入契約を有する、ステップと；
前記接続統計値を１つ以上の基準と比較すること基づいて、前記第１のコンピューティングデバイスを前記加入契約に自動的に関連付けるステップと；
を備える、方法。
【請求項９】
前記インターネットサービスプロバイダによって提供される前記１つ以上のサービスを供給するネットワークに接続することによって、第２のコンピューティングデバイスが自動的に関連付けられる、
請求項８に記載の方法。
【請求項１０】
前記第１のコンピューティングデバイス又は第２のコンピューティングデバイスが、前記インターネットサービスプロバイダによって提供される前記１つ以上のサービスを供給する他のネットワークに自動的に関連付けられ、前記他のネットワークの第１の位置は、前記ネットワークの第２の位置とは異なり、前記ネットワークは、接続統計値がアクセスされる前記インターネットサービスプロバイダに関連付けられる複数のネットワークのうちの１つであり、前記他のネットワークは、前記第１のコンピューティングデバイス又は前記第２のコンピューティングデバイスが初めて接続している前記インターネットサービスプロバイダに関連付けられる複数のネットワークのうちの１つである、
請求項８又は９に記載の方法。
【請求項１１】
ユーザアカウントデータに基づいて、第２のコンピューティングデバイスが前記ユーザに関連付けられていると決定し、該決定に基づいて、前記第２のコンピューティングデバイスを前記加入契約に自動的に関連付けるステップ、
を更に含む、請求項８乃至１０のいずれか一項に記載の方法。
【請求項１２】
前記インターネットサービスプロバイダによって提供される前記１つ以上のサービスの利用可能性を前記第２のコンピューティングデバイスに通知するステップと；
前記通知の受容を受け取ったことに応答して、前記第２のコンピューティングデバイスを前記加入契約に自動的に関連付けることによって、前記インターネットサービスプロバイダによって提供される前記１つ以上のサービスを前記第２のコンピューティングデバイスに供給するステップと；
を更に含む、請求項１１に記載の方法。
【請求項１３】
コンピュータ実行可能なコンポーネントを記憶する１つ以上のコンピュータ記憶媒体であって、前記コンポーネントは：
少なくとも１つのプロセッサによって実行されると、該少なくとも１つのプロセッサに、１つ以上のデバイスと、インターネットサービスプロバイダに関連付けられる複数のネットワークのうちの１つ以上のネットワークとの間の接続をモニタさせる、モニタリングコンポーネントと；
少なくとも１つのプロセッサによって実行されると、該少なくとも１つのプロセッサに、前記モニタリングコンポーネントによる前記接続のモニタリングに基づいて、前記インターネットサービスプロバイダを通した前記１つ以上のネットワークへの接続の頻度と継続期間である接続統計値を生成させる、統計値コンポーネントと；
少なくとも１つのプロセッサによって実行されると、該少なくとも１つのプロセッサに、前記生成された統計値に基づいて、前記インターネットサービスプロバイダに関連付けられる前記複数のネットワークのうちの前記１つ以上にアクセスするよう、前記１つ以上のデバイスがユーザの加入契約に関連付けられることを推論させる、加入コンポーネントと；
少なくとも１つのプロセッサによって実行されると、該少なくとも１つのプロセッサに、前記推論に基づいて、前記１つ以上のデバイスを、前記インターネットサービスプロバイダに関連付けられる前記複数のネットワークのうちの少なくとも１つに関連付けさせる、関連付けコンポーネントと；
を備える、コンピュータ記憶媒体。
【請求項１４】
少なくとも１つのプロセッサによって実行されると、該少なくとも１つのプロセッサに、前記ユーザに対する対象のコンテンツを前記１つ以上のデバイスに通知させる、通知コンポーネントを更に備え、前記対象のコンテンツは、アプリケーション、プッシュ広告又はプッシュ証明書のうちの少なくとも１つを含む、
請求項１３に記載のコンピュータ記憶媒体。
【請求項１５】
前記加入コンポーネントは、前記複数のネットワークのうちの前記１つ以上をウォッチリストに追加し、前記関連付けコンポーネントは、前記１つ以上のデバイスを前記ウォッチリスト内のネットワークに自動的に関連付ける、
請求項１３又は１４に記載のコンピュータ記憶媒体。
【手続補正２】
【補正対象書類名】明細書
【補正対象項目名】００９１
【補正方法】変更
【補正の内容】
【００９１】
本開示に係る側面は、ユーザに関連付けられるものとして識別されるデバイス１０２が、ホットスポット１０４に自動的に関連付けられることを説明するが、一部の例では、基準２１２の通りの関係を有するユーザのデバイス１０２も、ホットスポット１０４に関連付けられる。例えば家族内のデバイス１０２のユーザの関係を決定する際に、家族及び／又は（当技術分野で公知の技術によって決定される）親しい友人のメンバー全てのデバイス１０２が、ホットスポット１０４によって自動的に関連付けられる。このシナリオでは、認証情報を供給する必要なく、世帯の全てのデバイス１０２をホットスポット１０４に関連付けることができる。